(57)【特許請求の範囲】
【請求項１】
光源が発生した光を走査状に照射するスキャナユニットであって、
上記光を集光するレンズと、
該レンズを光軸方向に移動可能に上記スキャナユニットの筐体側から支持する支持部材と、
上記レンズを挟んで上記支持部材と反対側から該レンズを押圧し、上記レンズの光軸方向と交差する方向への移動を阻止するバネ部と、該バネ部により上記レンズが押圧された状態で上記レンズのハウジングに係合して上記レンズの光軸方向への移動を阻止する爪部と、を有する固定部材と、
を備え、
上記固定部材は、その両端を上記筐体に固定され、
上記バネ部は、
上記固定部材の一端が上記筐体に固定されたときに、上記レンズが上記光軸方向に移動可能な程度に上記レンズのハウジングを押圧する第１バネ部と、
上記固定部材の一端が上記筐体に固定されたときは上記レンズのハウジングに接触せず、両端が上記筐体に固定されたときに上記爪部を上記レンズのハウジングに係合させる第２バネ部と、を有し、
上記爪部は、上記第２バネ部に設けられたこと、
を特徴とするスキャナユニット。
【請求項２】
上記レンズが、円筒状のハウジングにレンズ本体を収納したものであることを特徴とする請求項１記載のスキャナユニット。
【請求項３】
上記固定部材が上記筐体に固定されていないときには、上記第１バネ部と上記第２バネ部とが上記押圧方向に所定の角度を有していることを特徴とする請求項１または２記載のスキャナユニット。
【請求項４】
上記爪部は、少なくとも２つ設けられ、上記光軸方向において、上記第１バネ部は２つの爪部の間に配置されていることを特徴とする請求項１〜３のいずれかに記載のスキャナユニット。
【請求項５】
上記爪部が、上記バネ部の上記光軸方向両端から、互いに近接する方向に傾斜して突出したことを特徴とする請求項１〜４のいずれかに記載のスキャナユニット。
【請求項６】
上記固定部材がステンレス鋼によって構成されたことを特徴とする請求項１〜５のいずれかに記載のスキャナユニット。
【請求項７】
上記爪部は、上記レンズのハウジングに食い込んで係合することを特徴とする請求項１〜６のいずれかに記載のスキャナユニット。
【請求項８】
上記支持部材は、上記レンズを上記光軸方向に移動可能に支持するＹ字状の溝部により形成されることを特徴とする請求項１〜７のいずれかに記載のスキャナユニット。
【請求項９】
上記爪部は、上記溝部の最深部と上記光軸とを結ぶ面上で上記光軸と直交する向きに、上記レンズのハウジングに係合することを特徴とする請求項８記載のスキャナユニット。
【請求項１０】
上記レンズの光軸方向と交差する方向における上記溝部の両側には上記固定部材を固定するための台部が形成されていることを特徴とする請求項８または９記載のスキャナユニット。
【請求項１１】
上記固定部材は、１枚の板材から一体的に形成されていることを特徴とする請求項１〜１０のいずれかに記載のスキャナユニット。
【請求項１２】
請求項１〜１１のいずれかに記載のスキャナユニットと、
該スキャナユニットから照射された光により露光される感光体と、
該露光された感光体に現像材を付着させる現像手段と、
該現像手段によって感光体に付着された現像材を記録媒体に転写して画像を形成する転写手段と、
を備えたことを特徴とする画像形成装置。
【発明の詳細な説明】
【０００１】
【発明の属する技術分野】
本発明は、光源が発生した光を走査状に照射するスキャナユニット及びそのスキャナユニットを使用した画像形成装置に関し、詳しくは、レンズをスキャナユニットの筐体に固定する構成に特徴を有するスキャナユニット及び画像形成装置に関する。
【０００２】
【従来の技術】
従来より、スキャナユニットの筐体内には、レーザ発光部等の光源が発生した光を所定の走査方向に偏向させる偏向手段としてのポリゴンミラーを始め、各種レンズ，ミラー，スリット板等の光学要素が配置されている。これらの光学要素の内、一部のレンズは、上記筐体内に仮止めして、ピント調整を行った後に移動不能に固定することが行われている。
【０００３】
例えば、円筒状のハウジングにレンズ本体を収納したコリメートレンズを固定する場合は、先ず、筐体側の支持部材上にコリメートレンズを載置し、板バネ状の固定部材を上記ハウジングを挟んで筐体にビスで固定する。この状態では、コリメートレンズは固定部材によって適度な力で押圧されているので、光軸方向にのみ移動可能となる。このため、作業者は適宜移動させることによってコリメートレンズのピントを調整することができる。続いて、ピント調整の終了後、作業者は上記固定部材とコリメートレンズのハウジングとを接着剤で接着する。これによって、コリメートレンズはピント調整後の位置に強固に固定される。
【０００４】
【発明が解決しようとする課題】
ところが、レンズのハウジング等を接着剤で固定する場合、接着剤が固まるまでにその後の組立工程等で振動が加わると、レンズの位置がずれる可能性がある。このため、レンズの固定後、接着剤が充分に固まるまで次の工程へ移行することができなかった。また、接着剤が固まるまでにレンズの位置がずれると、レンズは不適切な位置に強固に固定されてしまい、後から修正するのが困難であった。そこで、本発明は、ピントの調整後は即座にレンズを固定することができ、かつ、一旦固定した後もレンズの位置を容易に修正可能なスキャナユニット、及び画像形成装置を提供することを目的としてなされた。
【０００５】
【課題を解決するための手段及び発明の効果】
上記目的を達するためになされた請求項１記載の発明は、光源が発生した光を走査状に照射するスキャナユニットであって、上記光を集光するレンズと、該レンズを光軸方向に移動可能に上記スキャナユニットの筐体側から支持する支持部材と、上記レンズを挟んで上記支持部材と反対側から該レンズを押圧し、上記レンズの光軸方向と交差する方向への移動を阻止するバネ部と、該バネ部により上記レンズが押圧された状態で上記レンズのハウジングに係合して上記レンズの光軸方向への移動を阻止する爪部と、を有する固定部材と、を備え、上記固定部材は、その両端を上記筐体に固定され、上記バネ部は、上記固定部材の一端が上記筐体に固定されたときに、上記レンズが上記光軸方向に移動可能な程度に上記レンズのハウジングを押圧する第１バネ部と、上記固定部材の一端が上記筐体に固定されたときは上記レンズのハウジングに接触せず、両端が上記筐体に固定されたときに上記爪部を上記レンズのハウジングに係合させる第２バネ部と、を有し、上記爪部は、上記第２バネ部に設けられたことを特徴としている。
【０００６】
このように構成された本発明では、支持部材はレンズを光軸方向に移動可能にスキャナユニットの筐体側から支持しており、この支持部材に支持された状態でレンズはピント調整される。また、固定部材のバネ部は支持部材と反対側からレンズを押圧し、そのレンズの光軸方向と交差する方向への移動を阻止する。更に、そのバネ部により上記レンズが押圧された状態で、固定部材の爪部がレンズのハウジングに係合してそのレンズの光軸方向への移動を阻止する。
【０００７】
このため、本発明では、固定部材によってレンズを押圧することにより、ピント調整後のレンズはスキャナユニットの筐体に固定される。また、この固定部材によるレンズの固定は、爪部がレンズのハウジングに係合することによってなされるので、その固定は即座に完了し、固定部材を筐体から取り外して上記係合を解除すれば、一旦固定した後もレンズの位置を容易に修正することができる。
【０００８】
従って、本発明のスキャナユニットでは、レンズを固定した後に即座に次の製造工程へ移行することができ、また、一旦固定した後もレンズの位置を容易に修正することができる。このため、本発明を適用すれば、スキャナユニットの製造工程を簡略化してスキャナユニット自体の製造コストも低減することができる。
また、本発明の固定部材は、その両端を筐体に固定されるもので、次のように動作する第１バネ部と第２バネ部とを備えている。固定部材の一端が筐体に固定されたときには、爪部を備えない第１バネ部が、レンズのハウジングをそのレンズが光軸方向に移動可能な程度に押圧する。このとき、爪部を備えた第２バネ部は、レンズのハウジングに接触しない。このため、レンズのハウジングは第１バネ部のみによって適度な力で押圧されているので、レンズは光軸方向にのみ移動可能となり、そのピント調整が容易にできる。
続いて、固定部材の両端が筐体に固定されると、第２バネ部は爪部をレンズのハウジングに係合させる。このため、ピント調整後のレンズは強固に固定される。また、このとき、レンズは第１バネ部によって押圧されているので、固定部材のもう一端を筐体に固定する際にレンズの位置がずれることもない。
このように、本発明では、固定部材の一端のみを筐体に固定するか両端を固定するかによって、レンズを軽く押圧してピント調整を容易にしたりレンズを強固に固定したり選択的に切り換えることができる。従って、本発明では、上記効果に加えて、レンズの固定作業を一層容易にしてスキャナユニットの製造コストを一層良好に低減できるといった効果が生じる。
【０００９】
請求項２記載の発明は、請求項１記載の構成に加え、上記レンズが、円筒状のハウジングにレンズ本体を収納したものであることを特徴としている。
本発明では、レンズが円筒状のハウジングにレンズ本体を収納したものであるので、レンズを光軸方向に大幅に移動させても爪部とハウジングとを良好に係合させることができる。また、爪部はレンズ本体に直接係合するのではなくハウジングに係合するので、レンズ本体を傷つけることなく爪部を大きく（例えば食い込む程度に）係合させることもできる。従って、本発明では、請求項１記載の発明の効果に加えて、レンズのピントを大幅に調整できると共に、レンズ本体を傷つけることなくそのレンズを一層強固に固定することができるといった効果が生じる。
【００１０】
【００１１】
【００１２】
【００１３】
【００１４】
請求項３記載の発明は、請求項１または２記載の構成に加え、上記固定部材が上記筐体に固定されていないときには、上記第１バネ部と上記第２バネ部とが上記押圧方向に所定の角度を有していることを特徴としている。
本発明では、固定部材が筐体に固定されていないときには、第１バネ部と第２バネ部とが上記押圧方向に所定の角度を有しているので、その固定部材を筐体に固定する際に、先ず第１バネ部でレンズを押圧して次に第２バネ部でレンズを押圧するといった上記動作が一層円滑に実現できる。従って、本発明では、請求項１または２記載の発明の効果を一層円滑に生じさせ、レンズの固定作業を一層容易にしてスキャナユニットの製造コストを一層良好に低減できるといった効果が生じる。
【００１５】
請求項４記載の発明は、請求項１〜３のいずれかに記載の構成に加え、上記爪部は、少なくとも２つ設けられ、上記光軸方向において、上記第１バネ部は２つの爪部の間に配置されていることを特徴としている。
本発明では、第１バネ部が２つの爪部の間に配設されているので、前述のように第１バネ部で押圧された状態のレンズに更に爪部を係合させていく際、第１バネ部による押圧部の両側から爪部による押圧力が作用する。このため、上記押圧部の片側のみから爪部による押圧力が作用する場合に比べて、レンズが光軸方向にずれるのを良好に防止することができる。従って、本発明では、請求項１〜３のいずれかに記載の発明の効果に加えて、レンズの固定作業を一層容易にしてスキャナユニットの製造コストを一層低減することができるといった効果が生じる。
【００１６】
【００１７】
【００１８】
請求項５記載の発明は、請求項１〜４のいずれかに記載の構成に加え、上記爪部が、上記バネ部の上記光軸方向両端から、互いに近接する方向に傾斜して突出したことを特徴としている。
本発明では、爪部がバネ部の光軸方向両端から互いに近接する方向に傾斜して突出しているので、爪部をレンズのハウジングに係合させたときに爪部からレンズに加わる押圧力は、上記光軸方向両端から互いに近接する方向に作用する。このため、上記押圧力が一方のみから作用する場合に比べてレンズが光軸方向にずれるのを良好に防止することができる。また、爪部が傾斜しているのでレンズのハウジングに上記押圧力を良好に加えることができ、更に、互いに隔離する方向に傾斜している場合に比べてレンズの固定に要するスペースを節約することができる。従って、本発明では、請求項１〜４のいずれかに記載の発明の効果に加えて、レンズの固定作業を一層容易にしてスキャナユニットの製造コストを一層低減すると共に、レンズを一層強固に固定し、更にその固定に要するスペースも節約することができるといった効果が生じる。
【００１９】
請求項６記載の発明は、請求項１〜５のいずれかに記載の構成に加え、上記固定部材がステンレス鋼によって構成されたことを特徴としている。
本発明では、固定部材が永久変形の少ないステンレス鋼によって構成されているので、レンズを一層強固に固定することができ、また、一旦固定した後、固定を解除してレンズの位置を修正して、固定し直した場合にも同様の強度でレンズを固定することができる。従って、本発明では、請求項１〜５のいずれかに記載の発明の効果に加えて、レンズを一層強固に固定することができ、その強固さは固定後にレンズの位置を修正した場合にも変わらないといった効果が生じる。
請求項７記載の発明は、請求項１〜６のいずれかに記載の構成に加え、上記爪部は、上記レンズのハウジングに食い込んで係合することを特徴としている。
請求項８記載の発明は、請求項１〜７のいずれかに記載の構成に加え、上記支持部材は、上記レンズを上記光軸方向に移動可能に支持するＹ字状の溝部により形成されることを特徴としている。
請求項９記載の発明は、請求項８記載の構成に加え、上記爪部は、上記溝部の最深部と上記光軸とを結ぶ面上で上記光軸と直交する向きに、上記レンズのハウジングに係合することを特徴としている。
請求項１０記載の発明は、請求項８または９記載の構成に加え、上記レンズの光軸方向と交差する方向における上記溝部の両側には上記固定部材を固定するための台部が形成されていることを特徴としている。
請求項１１記載の発明は、請求項１〜１０のいずれかに記載の構成に加え、上記固定部材は、１枚の板材から一体的に形成されていることを特徴としている。
【００２０】
請求項１２記載の画像形成装置は、請求項１〜１１のいずれかに記載のスキャナユニットと、該スキャナユニットから照射された光により露光される感光体と、該露光された感光体に現像材を付着させる現像手段と、該現像手段によって感光体に付着された現像材を記録媒体に転写して画像を形成する転写手段と、を備えたことを特徴としている。
【００２１】
本発明の画像形成装置では、スキャナユニットから照射された光によって感光体が露光されると、その露光された感光体に現像手段が現像材を付着させ、その現像材を転写手段が記録媒体に転写する。このため、スキャナユニットから照射された光に応じた画像を記録媒体に形成することができる。また、上記スキャナユニットは請求項１〜１１のいずれかに記載のスキャナユニットであるので、製造時にはレンズを固定した後に即座に次の製造工程へ移行することができ、また、一旦固定した後もレンズの位置を容易に修正することができる。従って、本発明では、スキャナユニットの製造コストを低減することができ、延いては、画像形成装置自体の製造コストも低減することができる。
【００２２】
【発明の実施の形態】
次に、本発明の実施の形態を図面と共に説明する。図１は、本発明が適用された画像形成装置としてのレーザプリンタの、本体ユニット１の構成を表す縦断面図である。なお、本実施の形態のレーザプリンタは、図示した本体ユニット１の下方に、給紙トレー３と同様に構成された給紙トレーを備える図示しないトレーユニットを積層可能に構成されている。
【００２３】
図１に示すように、本体ユニット１の下方に着脱自在に挿入される給紙トレー３の内部には、図示しないバネにより上方に付勢された支持板５が設けられ、その支持板５の更に上方には、支持板５の上に積層状に保持された記録紙（記録媒体に相当：図示省略）を一枚ずつ分離して画像形成部７方向へ供給する給紙ローラ９が配設されている。また、給紙ローラ９から画像形成部７へ到る記録紙の搬送経路には、記録紙を搬送する２対の搬送ローラ１１，１３と、適宜停止することによって記録紙の先端を係止し、その記録紙の斜行を補正するレジストローラ１５とが順次配設されている。更に、レジストローラ１５へは、手差しトレー１７上に保持された記録紙を給紙ローラ１９によって搬送することもできる。
【００２４】
画像形成部７は、プロセスカートリッジ２１内に設けられた感光体としての感光体ドラム２３と、その感光体ドラム２３に対向配置された転写手段としての転写ローラ２５とを備えており、この感光体ドラム２３及び転写ローラ２５の間を通過して後述のようにトナーによる画像が形成された記録紙は、搬送ベルト２７を介して、定着部３１へ供給される。この定着部３１では、記録紙に形成されたトナー画像が加熱ローラ３３と押圧ローラ３５とに挟まれて熱定着され、画像が定着された記録紙は３対の排紙ローラ３７で搬送され、本体ユニット１の上面に設けた排紙トレー３９に排出される。また、排紙トレー３９とプロセスカートリッジ２１との間には、感光体ドラム２３をレーザ光Ｌによって露光するスキャナユニット４１が配設されている。
【００２５】
次に、図２は、プロセスカートリッジ２１の内部構造を表す縦断面図である。図２に示すように、このプロセスカートリッジ２１は、表面に感光層を有する感光体ドラム２３を回転可能に備え、更に、その感光体ドラム２３の表面を一様に帯電させる帯電ローラ４３を備えている。帯電ローラ４３によって帯電された感光体ドラム２３の表面には、スキャナユニット４１から露光開口部２１ａを介して入射するレーザ光Ｌ（図１参照）によって静電潜像が形成され、続いて、現像手段としての現像ローラ４５が感光体ドラム２３の表面へ現像材としてのトナーを供給することにより、上記静電潜像が現像される。このようにして感光体ドラム２３に付着したトナーが、前述の転写ローラ２５との間を通過する記録紙に転写されることにより、その記録紙に画像が形成されるのである。
【００２６】
なお、帯電ローラ４３及び現像ローラ４５は、感光体ドラム２３に従動回転する。また、プロセスカートリッジ２１には、この他、トナー容器２１ｂに収容されたトナーを撹拌しながら現像ローラ４５に向けて送り出すトナー送り部材４７や、現像ローラ４５の表面に付着したトナーを摩擦帯電させる現像ブレード４９等、周知の各種構成が設けられている。
【００２７】
続いて、スキャナユニット４１の構成について説明する。図３はスキャナユニット４１の構成を表す平面図であり、図４はその縦断面図である。図３，図４に示すように、スキャナユニット４１は、略平板状の底板５１ａの周囲に側壁５１ｂを立設してなる上向き開放型の筐体５１を備えており、底板５１ａの表面には、側壁５１ｂに固定されたレーザ発光部５３が発生したレーザ光Ｌの光路を構成する光学要素として、コリメートレンズ５５，偏向手段としてのポリゴンミラー５７，ｆθレンズ５９，及び折り返しミラー６１が固定されている。
【００２８】
この構成によって、レーザ発光部５３が発生したレーザ光Ｌをポリゴンミラー５７によって所定の走査方向に偏向させ、折り返しミラー６１で折り返すことによって、筐体５１の底面に形成した出射口部５１ｃ（図４参照）から放出することができる。なお、出射口部５１ｃには、図４に示すように、折り返しミラー６１で反射されたレーザ光Ｌが通過するシリンドリカルレンズ６３と、出射口部５１ｃを下方から覆うカバーガラス６５とが設けられている。
【００２９】
また、折り返しミラー６１の隣接位置には、図３に示すように第１ＢＤミラー６７が設けられ、上記偏向されたレーザ光Ｌの感光体ドラム２３へ向かう光路から外れた位置に設けられた第２ＢＤミラー６９との共働によって、上記走査の原点に対応する方向のレーザ光ＬａをＢＤセンサ７１に向けて反射している。更に、ＢＤセンサ７１の手前には、スリット板７３及びＢＤレンズ７５が配設されている。このＢＤセンサ７１，スリット板７３，及びＢＤレンズ７５も、上記偏向されたレーザ光Ｌの感光体ドラム２３へ向かう光路から外れた位置に設けられている。この構成により、ＢＤセンサ７１がレーザ光Ｌａを検出したタイミングに応じてレーザ発光部５３のＯＮ／ＯＦＦタイミングを設定することによって、レーザ光Ｌの照射方向を正確に規定することができる。
【００３０】
ここで、スキャナユニット４１では、次のような固定部材８１を用いてコリメートレンズ５５を筐体５１に固定している。図５（Ａ），（Ｂ），（Ｃ），及び（Ｄ）は、固定部材８１の構成を表す平面図，正面図，下面図，及び側面図である。なお、この固定部材８１は、ステンレス鋼の１枚の板材からプレス成形によって製造されている。
【００３１】
図５（Ａ）に示すように、固定部材８１は、ネジ穴８２ａ，８３ａが形成された固定部８２，８３を両端に備え、その固定部８２，８３の間には次のような第１バネ部８４及び第２バネ部８５が形成されている。第１バネ部８４は、平面視では固定部８２から固定部８３向かって矩形に突出しており、図５（Ｂ）に示すように、その突出方向は固定部８２の平面に対して下方に傾斜している。第２バネ部８５は、第１バネ部８４の両側で固定部８２と固定部８３とを連結している。また、第２バネ部８５及び固定部８３は、固定部８２の平面よりも僅かに上方に傾斜した平面上に連続して配設されている。第１バネ部８４と第２バネ部８５とのなす角は約２０°である。
【００３２】
ここで、後述のように、固定部８２は固定部８３に先立って筐体５１に固定されるため、その固定を容易にするため、ネジ穴８２ａは丸穴、ネジ穴８３ａは小判穴とされている。更に、各第２バネ部８５の外側端縁の略中央には、図５（Ｃ），（Ｄ）に示すように、互いに近接する方向に約４５°の仰角で傾斜して突出した幅２ｍｍの矩形の爪部８７が、それぞれ形成されている。
【００３３】
次に、この固定部材８１を用いたコリメートレンズ５５の固定方法について、図６の説明図を用いて工程順に説明する。なお、図６（Ｂ），（Ｄ）に示すように、筐体５１におけるコリメートレンズ５５の配設位置には、コリメートレンズ５５を光軸方向に移動可能に筐体５１側から支持する支持部材としてのＹ字状の溝部５１ｄが形成され、更に、その溝部５１ｄの両側には、固定部材８１を固定するための台部５１ｅが形成されている。また、台部５１ｅの高さは、溝部５１ｄに支持されたコリメートレンズ５５の高さよりも若干高く設定されている。
【００３４】
図６（Ａ）の平面図及び図６（Ｂ）の正面図に示すように、コリメートレンズ５５を筐体５１に固定する際は、先ず、溝部５１ｄによってコリメートレンズ５５を支持し、固定部材８１の固定部８２をビス９１によって台部５１ｅの上面に固定する。すると、第１バネ部８４が、コリメートレンズ５５の外周をそのコリメートレンズ５５が光軸方向に移動可能な程度に溝部５１ｄに押圧する。このとき、爪部８７を備えた第２バネ部８５は、コリメートレンズ５５の外周に接触しない。このため、コリメートレンズ５５の外周は第１バネ部８４のみによって適度な力で押圧されるので、コリメートレンズ５５は光軸方向にのみ移動可能となり、そのピント調整が容易にできる。
【００３５】
コリメートレンズ５５をチャック９３でつかんでピント調整した後、そのコリメートレンズ５５をチャック９３でつかんだまま、図６（Ｃ）の平面図及び図６（Ｄ）の正面図に示すように、固定部材８１の固定部８３もビス９１によって台部５１ｅの上面に固定する。すると、図６（Ｅ）の側面図に矢印Ａで示すように、第２バネ部８５の爪部８７がコリメートレンズ５５の外周に食い込んで係合し、コリメートレンズ５５の光軸方向への移動を阻止する。これによって、コリメートレンズ５５は筐体５１に強固に固定される。また、このとき、コリメートレンズ５５は第１バネ部８４によって押圧されているので、固定部８３を台部５１ｅに固定する際にコリメートレンズ５５の位置がずれることもない。
【００３６】
このため、スキャナユニット４１では、コリメートレンズ５５のピント調整及びピント調整後の固定を容易に実行でき、その固定も即座に完了するのですぐ次の製造工程へ移行することができる。また、上記固定はコリメートレンズ５５と爪部８７との係合によってなされるので、コリメートレンズ５５を一旦固定した後も、ビス９１を外せば位置を容易に修正することができる。このため、工程の簡略化によってスキャナユニット４１の製造コストを低減することができ、延いては、レーザプリンタ自体の製造コストも低減することができる。
【００３７】
しかも、コリメートレンズ５５は円筒状のハウジングにレンズ本体を内蔵しているので、コリメートレンズ５５を光軸方向に大幅に移動させても良好に爪部８７を係合させることができ、爪部８７を食い込ませてもレンズ本体を傷つけることがない。従って、本実施の形態では、コリメートレンズ５５のピントを大幅に調整できると共にコリメートレンズ５５を一層強固に固定することができる。
【００３８】
また、爪部８７は第１バネ部８４の光軸方向両側から、互いに近接する方向に傾斜して突出している。このため、コリメートレンズ５５に爪部８７を係合させたときに、コリメートレンズ５５が光軸方向にずれるのを良好に防止することができる。しかも、図６（Ｄ）に示すように、爪部８７は、第１バネ部８４とコリメートレンズ５５の外周との接線、及び、上記光軸のほぼ真上から係合する。このため、コリメートレンズ５５に爪部８７を係合させたときに、コリメートレンズ５５が図６（Ｄ）の左右方向にずれるのも良好に防止することができる。このため、本実施の形態では、コリメートレンズ５５の固定作業を一層容易にしてスキャナユニット４１の製造コストを一層低減することができる。
【００３９】
更に、爪部８７は前述のように互いに近接する方向に傾斜しているので、互いに隔離する方向に傾斜している場合に比べてコリメートレンズ５５の固定に要するスペースも節約することができる。また、固定部材８１は永久変形の少ないステンレス鋼によって構成されているので、コリメートレンズ５５を一層強固に固定することができ、その強固さは固定後に固定を解除してコリメートレンズ５５の位置を修正し、再度固定した場合にも変わらない。
【００４０】
なお、本発明は上記実施の形態に何等限定されるものではなく、本発明の要旨を逸脱しない範囲で種々の形態で実施することができる。例えば、爪部８７は第２バネ部８５の各端縁に複数設けてもよい。但し、この場合も、第１バネ部８４とコリメートレンズ５５の外周との接線、及び、コリメートレンズ５５の光軸に対して対称に、爪部８７を設けるのが望ましい。
【図面の簡単な説明】
【図１】本発明が適用されたレーザプリンタの構成を表す縦断面図である。
【図２】そのプリンタのプロセスカートリッジの構成を表す縦断面図である。
【図３】上記プリンタのスキャナユニットの構成を表す平面図である。
【図４】そのスキャナユニットの構成を表す縦断面図である。
【図５】そのスキャナユニットにおけるコリメートレンズの固定部材の構成を表す平面図，正面図，下面図，及び側面図である。
【図６】その固定部材によるコリメートレンズ固定方法を表す説明図である。
【符号の説明】
１…本体ユニット      ３…給紙トレー      ７…画像形成部
９，１９…給紙ローラ    ２１…プロセスカートリッジ    ２３…感光体ドラム
２５…転写ローラ        ３１…定着部                  ３９…排紙トレー
４１…スキャナユニット    ４５…現像ローラ            ５１…筐体
５１ａ…底板            ５１ｃ…出射口部              ５１ｄ…溝部
５１ｅ…台部            ５３…レーザ発光部        ５５…コリメートレンズ
５７…ポリゴンミラー    ５９…ｆθレンズ          ６１…折り返しミラー
６３…シリンドリカルレンズ    ６５…カバーガラス    ６７…第１ＢＤミラー
６９…第２ＢＤミラー          ７１…ＢＤセンサ      ７３…スリット板
７５…ＢＤレンズ        ８１…固定部材              ８２，８３…固定部
８４…第１バネ部        ８５…第２バネ部            ８７…爪部
９１…ビス              ９３…チャック              Ｌ，Ｌａ…レーザ光
【図１】
0003617444.tif 000002
【図２】
0003617444.tif 000003
【図３】
0003617444.tif 000004
【図４】
0003617444.tif 000005
【図５】
0003617444.tif 000006
【図６】
0003617444.tif 000007